(57)【要約】      （修正有）【課題】塗布具の落下を簡易な構成により防止可能な化粧用容器を提供する。【解決手段】化粧料収容部３を有する容器本体２と、連結部５２を介して容器本体に回動自在に連結された蓋体５と、化粧料収容部３の上面を覆う保護シート６とを有する化粧用容器１である。保護シート６は、折曲線６２により折り曲げられて化粧料収容部３の上面側に配される上方部と、折曲線６２よりも下方に位置し容器本体２に固定される下方部６３とを有し、上方部に、保護シート６を構成するシート材を、化粧料収容部３を覆う保護部６１に対して角度を有するように折曲して形成された１つ以上の起立片７１〜７３を有する。起立片７１〜７３は、蓋体側に向けられる面側に突出し、少なくとも一つは、保護シート６を、保護部６１の中央を通り蓋体５の回動軸と平行な中央線を境に連結部５２に近い後側と連結部５２から遠い前側とに区分したときの前側に形成されている。【選択図】図２
2015150000.tif 000002
【特許請求の範囲】
【請求項１】
化粧料収容部に化粧料を収容した容器本体と、連結部を介して該容器本体に対して回動自在に連結された蓋体と、前記化粧料収容部の上面を覆う保護シートとを有する化粧用容器であって、
前記保護シートは、折曲線により折り曲げられて、前記化粧料収容部の上面側に配される上方部と、該折曲線よりも下方に位置し、前記容器本体に固定される下方部とを有しており、
前記上方部に、前記化粧料収容部を覆う保護部と、前記保護シートを構成するシート材を前記保護部に対して角度を有するように折曲して形成された一つ以上の起立片とを有し、該起立片は、前記蓋体側に向けられる面側に突出しており、該起立片の少なくとも一つは、前記保護シートを、前記保護部の中央を通り前記蓋体の回動軸と平行な中央線を境に、前記連結部に近い後側と該連結部から遠い前側とに区分したときの前側に形成されている、化粧用容器。
【請求項２】
前記起立片が、前記保護部の周囲に設けられている、請求項１に記載の化粧用容器。
【請求項３】
前記保護シートは、前記保護シートを構成するシート材に、切り込みを入れて押し上げて形成された内側起立片を有する、請求項１又は２に記載の化粧用容器。
【請求項４】
前記起立片は、前記保護部に対する傾斜角度が４５°以上１３５°以下である、請求項１〜３の何れか１項に記載の化粧用容器。
【請求項５】
前記起立片は、前記上方部の前記前側及び前記後側に、それぞれ１つ以上形成されている、請求項１〜４の何れか１項に記載の化粧用容器。
【請求項６】
前記上方部は、前記折曲線側の端部とは反対側の端部に、前記保護シートを構成するシート材の一部からなる摘み部を有しており、前記起立片は、前記摘み部とは別に設けられている、請求項１〜５の何れか１項に記載の化粧用容器。
【請求項７】
前記摘み部は、前記保護シートを構成するシート材が、前記保護部に対して角度を有するように折曲されて形成されている、請求項６に記載の化粧用容器。
【請求項８】
前記起立片は、前記折曲線と前記摘み部とを結ぶ中央領域を挟んでその両側に位置する部分のそれぞれに形成されている、請求項６又は７に記載の化粧用容器。
【請求項９】
前記保護シートは、厚みが３０μｍ以上３００μｍ以下の合成樹脂製シートである、請求項１〜８の何れか１項に記載の化粧用容器。
【請求項１０】
前記保護部上に塗布具が載置されている、請求項１〜９の何れか１項に記載の化粧用容器。
【請求項１１】
化粧料収容部を有する容器本体と、連結部を介して該容器本体に対して回動自在に連結された蓋体と、前記化粧料収容部の上面を覆う保護シートとを有する化粧用容器であって、
前記保護シートは、折曲線により折り曲げられて、前記化粧料収容部の上面側に配される上方部と、該折曲線よりも下方に位置し、前記容器本体に固定される下方部とを有しており、
前記上方部に、前記化粧料収容部を覆う保護部と、前記保護シートを構成するシート材を前記保護部に対して角度を有するように折曲して形成された１つ以上の起立片とを有し、該起立片は、前記蓋体側に向けられる面側に突出しており、該起立片の少なくとも一つは、前記保護シートを、前記保護部の中央を通り前記蓋体の回動軸と平行な中央線を境に前記連結部に近い後側と該連結部から遠い前側とに区分したときの前側に形成されている、化粧用容器。
【請求項１２】
化粧料収容部を有する容器本体と、連結部を介して該容器本体に対して回動自在に連結される蓋体とを有する化粧用容器に使用される保護シートであって、
前記保護シートは、折曲線により折り曲げられて、前記化粧料収容部の上面側に配される上方部と、該折曲線よりも下方に位置し、前記容器本体に固定される下方部とを有しており、
前記上方部に、前記化粧料収容部を覆う保護部と、前記保護シートを構成するシート材を前記保護部に対して角度を有するように折曲して形成された１つ以上の起立片とを有し、該起立片は、前記蓋体側に向けられる面側に突出しており、該起立片の少なくとも一つは、前記保護シートを、前記保護部の中央を通り前記蓋体の回動軸と平行な中央線を境に前記連結部に近い後側と該連結部から遠い前側とに区分したときの前側に形成されている、保護シート。
【発明の詳細な説明】
【技術分野】
【０００１】
本発明は、化粧用容器に関する。
【背景技術】
【０００２】
ファンデーション、チーク、アイシャドウ等の化粧料を収容する化粧用容器として、化粧料収容部を有する容器本体と、該容器本体に開閉可能に取り付けられた蓋体とを有する、いわゆるコンパクトと呼ばれる化粧用容器が知られている。
このような化粧用容器においては、化粧料が蓋体に設けられた鏡に付着することを防止したり、化粧料収容部と蓋体との間に塗布具を配置する仕切られた空間を形成するために、化粧料収容部の上面を覆うように保護シートを配置することが多い。また、紛失や落下を防止するため保護シートの一部を、容器本体に固定することも行われている。
他方、特許文献１には、容器本体と蓋体との間に、非シート状の中蓋トレイを設けた化粧料容器が提案されている。
【先行技術文献】
【特許文献】
【０００３】
【特許文献１】特開２０１３−３１５５３号公報
【発明の概要】
【発明が解決しようとする課題】
【０００４】
シート状の保護シートで、化粧料収容部と蓋体との間に仕切られた塗布具配置用の空間を形成した場合には、蓋体を注意せずに開いた場合や、蓋体を開いた状態で化粧用容器を傾けた際などに、塗布具が落下しやすい。他方、特許文献１の化粧料容器においては、中蓋トレイが真空成形等により形成されているため、製造工程の簡易化や省資源、製造コストなどの点で改善の余地があった。
【０００５】
したがって本発明の課題は、前述した従来技術が有する欠点を解消し得る、化粧用容器を提供することにある。
【課題を解決するための手段】
【０００６】
本発明は、化粧料収容部に化粧料を収容した容器本体と、連結部を介して該容器本体に対して回動自在に連結された蓋体と、前記化粧料収容部の上面を覆う保護シートとを有する化粧用容器であって、前記保護シートは、折曲線により折り曲げられて、前記化粧料収容部の上面側に配される上方部と、該折曲線よりも下方に位置し、前記容器本体に固定される下方部とを有しており、前記上方部に、前記化粧料収容部を覆う保護部と、前記保護シートを構成するシート材を前記保護部に対して角度を有するように折曲して形成された一つ以上の起立片とを有し、該起立片は、前記蓋体側に向けられる面側に突出しており、該起立片の少なくとも一つは、前記保護シートを、前記保護部の中央を通り前記蓋体の回動軸と平行な中央線を境に、前記連結部に近い後側と該連結部から遠い前側とに区分したときの前側に形成されている、化粧用容器を提供するものである。
【０００７】
また、本発明は、化粧料収容部を有する容器本体と、連結部を介して該容器本体に対して回動自在に連結された蓋体と、前記化粧料収容部の上面を覆う保護シートとを有する化粧用容器であって、前記保護シートは、折曲線により折り曲げられて、前記化粧料収容部の上面側に配される上方部と、該折曲線よりも下方に位置し、前記容器本体に固定される下方部とを有しており、前記上方部に、前記化粧料収容部を覆う保護部と、前記保護シートを構成するシート材を前記保護部に対して角度を有するように折曲して形成された１つ以上の起立片とを有し、該起立片は、前記蓋体側に向けられる面側に突出しており、該起立片の少なくとも一つは、前記保護シートを、前記保護部の中央を通り前記蓋体の回動軸と平行な中央線を境に前記連結部に近い後側と該連結部から遠い前側とに区分したときの前側に形成されている、化粧用容器を提供するものである（以下、第２発明というときは、この発明をいう）。
【０００８】
また、化粧料収容部を有する容器本体と、連結部を介して該容器本体に対して回動自在に連結される蓋体とを有する化粧用容器に使用される保護シートであって、前記保護シートは、折曲線により折り曲げられて、前記化粧料収容部の上面側に配される上方部と、該折曲線よりも下方に位置し、前記容器本体に固定される下方部とを有しており、前記上方部に、前記化粧料収容部を覆う保護部と、前記保護シートを構成するシート材を前記保護部に対して角度を有するように折曲して形成された１つ以上の起立片とを有し、該起立片は、前記蓋体側に向けられる面側に突出しており、該起立片の少なくとも一つは、前記保護シートを、前記保護部の中央を通り前記蓋体の回動軸と平行な中央線を境に前記連結部に近い後側と該連結部から遠い前側とに区分したときの前側に形成されている、保護シートを提供するものである。
【発明の効果】
【０００９】
本発明の化粧用容器及び保護シートによれば、塗布具の落下を、簡易な構成により防止することができる。
【図面の簡単な説明】
【００１０】
【図１】図１は、本発明の一実施形態である化粧用容器を、塗布具配置部に配置する塗布具の一例と共に示す斜視図である。
【図２】図２は、図１に示す化粧用容器を、化粧料入り容器を取り外した状態として示す斜視図である。
【図３】図３は、図１に示す化粧用容器に用いられる保護シートの平面状態と容器本体とを示す平面図である。
【図４】図４は、図１に示す化粧用容器の、蓋体を省略して示す断面図である。
【図５】図５は、図４のＶ−Ｖ線に沿う保護シートの断面図である。
【図６】図６は、図１に示す化粧用容器の作用効果の説明図である。
【図７】図７は、本発明の他の実施形態の要部（保護シート）を示す斜視図である。
【図８】図８は、本発明の他の実施形態の要部（保護シート）を示す斜視図である。
【図９】図９は、本発明の他の実施形態の要部（保護シート）を示す斜視図であり、（ａ）は斜視図、（ｂ）は、蓋体側に向けられる面側から視た平面図である。
【発明を実施するための形態】
【００１１】
以下本発明をその好ましい実施形態に基づき図面を参照しながら説明する。
本発明の一実施形態である化粧用容器１は、図１及び図２に示すように、化粧料収容部３を有する容器本体２と、蓋体５と、化粧料収容部３の上面を覆う保護シート６とを有している。化粧料収容部３は、化粧料入り容器４を収容する容器収容部でもあり、化粧料入り容器４を収容することで化粧料４１を収容した状態となる。保護シート６は、化粧料が蓋体５に付着するのを防止する機能を有し、一部が容器本体２の化粧料収容部３内に固定されている。
【００１２】
化粧料入り容器４は、例えばファンデーション、チーク、アイシャドウ、コンシーラー等の化粧料４１が、上面が開口した深さの浅い薄型の容器４２に収容されたものであり、容器本体２の化粧料収容部３内に収容された状態として使用される。化粧料入り容器４は、化粧料収容部３内に固定されることが好ましい。その場合、化粧料入り容器４は、化粧料収容部３内に脱着不可能に固定されていても良いが、本実施形態における化粧料入り容器４は、化粧料収容部３に、脱着可能に固定されており、例えば、化粧料入り容器４の内部の化粧料を使い切ったときには、化粧料が充填された新たな化粧料入り容器４に交換可能である。
【００１３】
化粧料入り容器４を化粧料収容部３内に固定する方法としては、例えば、化粧料入り容器４の下面４ｂに接着剤を塗布し、その接着剤を介して、化粧料入り容器４を化粧料収容部３の底面３ｂ上に固定する。
化粧料収容部３は、化粧料入り容器４を収容可能な大きさの凹部として形成されており、化粧料入り容器４と嵌合する形状を有している。ここでいう嵌合には、両者の間に多少の遊びがある場合も含まれる。本実施形態における化粧料入り容器４における前記薄型の容器４２は、有底筒状の立体形状を有しており、化粧料入り容器４は、筒状の側面４ｓと平面状の下面４ｂを有している。化粧料入り容器４は、深さ方向に直交する断面形状が、一部に直線部を有する円形状をなし、側面４ｓの一部に平面部４７を有している。これに対応して、化粧料収容部３も、筒状の内周面３ｓと平面状の底面３ｂとを有し、深さ方向に直交する断面形状が一部に直線部を有する円形状をなし、内周面３ｓの一部に平面部３７を有している。
【００１４】
蓋体５は、連結部５２を介して容器本体２に対して回動自在に連結されており、容器本体２の上面を開閉自在である。連結部５２は、容器本体２の一部を切り欠いた部分に、蓋体５から垂下させた部分を入れ、該垂下させた部分の左右をピンで容器本体２と連結させることで形成されている。なお、連結部５２の構造は特に制限なく、例えば、蓋体５を切り欠いた部分と、容器本体２から立ち上げた部分とを連結させてもよく、またピンを使わずに蓋体５又は容器本体２に嵌合する部分を形成してもよく、別部材から連結部を形成してもよい。蓋体５は、閉蓋時に容器本体２側を向く内面に鏡５１が設けられている。また、容器本体２の、連結部５２（蓋体５との連結部）側とは反対側に位置する前面部には、蓋体５に設けられた係着爪（図示せず）が係止される被係着部（図示せず）を備える係着切欠き部２４が形成されており、係着切欠き部２４には、押圧により係着爪と被係着部との係止状態を解除する係合解除ボタン２５が設けられている。
【００１５】
化粧用容器１における保護シート６について説明する。
保護シート６は、図１〜図３に示すように、折曲線６２により折り曲げられて、化粧料収容部３の上面側に配される上方部６０と、折曲線６２よりも下方に位置し、容器本体２に固定される下方部６３とを有している。上方部６０は、化粧料収容部３の上面を覆う保護部６１と、該保護部６１の周囲に設けられた複数の起立片７１〜７３を有している。具体的には、化粧料入り容器４が化粧料収容部３に配された状態において、上方部６０は、折曲線６２により折り曲げられて、化粧料入り容器４の上面４ａ側に配され、また保護部６１は、化粧料入り容器４の上面４ａを覆う。
ここで、折曲線６２とは、保護シート６の上方部６０を、化粧料収容部３の上面を覆った状態（図１、図４参照）から、化粧料収容部３の上面が開放された状態（図２参照）とするために回動させるときの回動軸として機能する折曲部である。
【００１６】
以下、説明の便宜上、図３に示すように、保護シート６を、平面状態として平面視したときに、折曲線６２と平行な方向Ｘを幅方向Ｘ、折曲線６２と直交（交差）する方向Ｙを長手方向Ｙとし、長手方向Ｙにおける保護部６１側の端部を上側端部６ａ、長手方向Ｙにおける上側端部６ａとは反対側の端部を下側端部６ｂという。
また、折曲線６２よりも下方とは、容器本体２に取り付けた状態の保護シート６において、折曲線６２よりも、化粧料収容部３の底面３ｂ側に位置する部分であり、下方部６３は、図３に示すように、保護シート６の前述した長手方向Ｙにおいて、折曲線６２よりも下側端部６ｂ側に位置する部分である。保護シート６の折曲線６２は、化粧料収容部３内に配置された状態の化粧料入り容器４の上端付近に位置しているが、該上端より上方に形成されていても良いし、該上端よりやや下方に形成されていても良い。
【００１７】
保護シート６の上方部６０は、図１に示すように、複数の起立片７１〜７３が設けられている。それらの起立片７１〜７３は、保護部６１の周囲に、周方向に間隔を設けて形成されている。起立片７１〜７３は、何れも、化粧料入り容器４側を覆う保護部６１に対して角度を有するように折曲して形成されている。また、起立片７１〜７３は、図３に示すように、保護シート６を構成するシート材における、平面視略円形の保護部６１の周囲に、略半円形状の突出部を形成するとともに、その突出部の基端部に形成した屈曲線８１〜８３において、該シート材を折り曲げることによって形成されている。なお、保護部６１は、平面視略円形としたが、折曲線６２および屈曲線８１〜８３により直線部を有している。
屈曲線８１〜８３は、保護シート６を構成する合成樹脂製のシートに、押し罫加工を施して形成してあり、冷間押し又は加熱押しによって形成された直線状の溝部が形成されている。直線状の溝部は、一直線に連続したものでよいが、部分的に溝部がない部分があってもよい。また、部分的には貫通した箇所が存在してもよい。また、屈曲線８１〜８３は、片面側が溝部、他面側が凸条部となっていても良いし、両面とも溝部となっていても良い。また、屈曲線８１〜８３は、厚み方向の途中まで達する切り目を入れた線であっても良いし、ミシン目等であっても良い。
【００１８】
本実施形態における起立片７１〜７３は、そのうちの一つの起立片７１は、摘み部となっている。摘み部は、保護シート６を回動させて、化粧料収容部３の上面（化粧料入り容器４の上面４ａ）を開放させる際に、指で摘まむ箇所であり、図３に示すように、上方部６０における折曲線６２側の端部とは反対側の端部に、保護部６１に対して角度を有するように設けられている。摘み部が角度を有することで、摘み易くするとともに、蓋体を閉じた状態で収容した塗布具のガタ付きを防止する。
保護シート６の上方部６０は、摘み部としての起立片７１とは別に、一つ以上の起立片を有していることが好ましく、摘み部としての起立片７１とは別に、複数の起立片７２，７３を有していることが更に好ましい。
【００１９】
摘み部としての起立片７１は、保護部６１に対する傾斜角度θ１（図４参照）が、好ましくは４５°以上、更に好ましくは８０°以上であり、また、好ましくは１３５°以下、更に好ましくは１００°以下であり、また、好ましくは４５°以上１３５°以下、更に好ましくは８０°以上１００°以下である。
起立片７２，７３は、保護部６１に対する傾斜角度θ２、θ３（図５参照）が、好ましくは４５°以上、更に好ましくは８０°以上であり、また、好ましくは１３５°以下、更に好ましくは１００°以下であり、また、好ましくは４５°以上１３５°以下、更に好ましくは８０°以上１００°以下である。
摘み部としての起立片７１の傾斜角度θ１と、摘み部とは別の起立片７２，７３の傾斜角度θ２，θ３とは同一でも良いが、前記傾斜角度θ２，θ３が、前記傾斜角度θ１より大きいことが好ましい。
【００２０】
本実施形態における保護シート６においては、一つの起立片７３が、折曲線６２と直交する方向Ｙに延びる保護シートの中央線ＣＬに対して前記連結部５２から遠い側（係合解除ボタン２５側）に設けられている。即ち、保護シート６を、保護部６１の中央Ｐを通り蓋体５の回動軸と平行な中央線ＣＬを境に、連結部５２に近い後側と該連結部５２から遠い前側とに区分したときの前側に、一つの起立片７３が形成されている。保護部６１の中央Ｐは、保護シート６の上方部６０における起立片７１〜７３を除く部分（平坦部分）の、蓋体５の回動軸と平行な方向の全長Ｌｙを２等分する位置において、該部分（平坦部分）の、蓋体５の回動軸と直交する方向の長さＬｘを２等分する点である。中央線ＣＬは、保護部６１の中央Ｐを通り、蓋体５の回動軸と平行の仮想直線である（図３参照）。
少なくとも一つの起立片７３が、中央線ＣＬを境にして連結部５２から遠い前側に存在することで、図６に示すように、化粧用容器１を、蓋体５を正面に見て手前側（使用者に近い側）が下になるように傾けたときに、該起立片７３が、塗布具９を下側から支持して該塗布具９の落下を効果的に阻止することができる。
本実施形態の保護シートや図７〜図９に示す各実施形態の保護シートのように、起立片は、保護シートの中央線ＣＬの両側（前側及び後側）にそれぞれ１つ以上形成されていることが、保護部６３上に載置された塗布具９の安定性を向上させる観点から好ましい。
【００２１】
化粧用容器１における保護シート６は、上述したように上方部６０に、起立片７２，７３を有することによって、図１に示すように、保護シート６における、閉蓋時に蓋体５側に向けられる面側に、起立片７２，７３に挟まれた塗布具配置部７が形成されている。
塗布具配置部７には、化粧料入り容器４に収容された化粧料４１を、頬や眉、唇等の塗布対象部位に塗布するのに適した塗布具９が配置される。塗布具９としては、例えば、刷毛やパフ、スポンジ状のローラーを備えた塗布具等が挙げられる。
図１に示す塗布具９は、刷毛であり、本実施形態の化粧用容器１おける塗布具配置部７に配置するのに適した大きさ及び形状を有している。図１に示す塗布具９は、手に持つ把持部９１と、把持部９１から突出する刷毛部９２とを有する刷毛である。また、塗布具９は、保護シート６と蓋体５との間に空間に収まるように扁平な形状を有し、厚み方向に直交する方向の外形が、略円形状を有し、詳細には刷毛部９２の外形の先端は円弧を描き、把持部９１は半円形状となっている。
【００２２】
本実施形態の化粧用容器１（内部に化粧料入り容器が収容されている化粧用容器）を使用して化粧料の塗布を行う場合には、図１示すように、蓋体５を開いて、塗布具９を取り出す。このとき、図６に示すように、蓋体５を開いた際に、鉛直方向Ｇに対して、化粧用容器１を大きく傾けても、塗布具配置部７の下側に位置する起立片７３が、塗布具９の下端を支持し、塗布具９が落下することが防止される。
そして、塗布具９を取り出した後、保護シート６を、折曲線６２を回動軸として回動させて、化粧料入り容器４の上面４ａを開放させる。そして、塗布具９を用いて、化粧料入り容器４内の化粧料４１を擦り取り、擦り取った化粧料を、蓋体５に設けられた鏡５１を見ながら、肌面に塗布する。使用後には、保護シート６を回動させて、図４に示す状態へと戻した後、保護シート６上に塗布具９を配置し、蓋体５を閉じる。
【００２３】
保護シート６は、図２に示すように、開いた蓋体５を正面から見たときに、上方部６０が左方向に開くように、容器本体２に固定されている。要するに、このように、保護シート６は、蓋体５の開く方向とは異なる方向に上方部６０が開くように下方部６３が容器本体２に固定されている。なお、本実施形態では、上方部６０は左方向に開いたが、上方部６０の開く方向は、右方向に開く方向に固定してもよく、又は左上方向、左下方向等でもよく、使用者の好みや化粧用容器１や化粧料入り容器４の形状から任意に決定できる。
ここで、上方部６０の開く方向とは、保護シート６が化粧料収容部３の上面（化粧料入り容器４の上面４ａ）を開放した際に、開蓋状態で蓋体５を正面方向（ここでは鏡５１を見る方向）から見て、上方部６０が化粧料収容部３の上面から移動した方向を指す。蓋体５の開く方向と異なる方向とは、化粧用容器１から蓋体５を開いて該蓋体５を正面から見たときに、開いた保護シート６の上方部６０が蓋体５と完全に重なる状態とならないことを言う。
【００２４】
このように、本実施形態の化粧用容器１によれば、塗布具９の落下を効果的に防止できるとともに、起立片７２等を、保護シート６を構成するシート材の折り曲げによって形成してあるため、化粧用容器１の構成も簡易であり、従来の製造方法に対して、必要に応じて保護シート６の形状を多少変更するとともに、折り曲げる工程を加える程度の変更で容易に製造することができる。
また、塗布具９を載置する保護シート６の一部が、容器本体２に固定されているため、保護シート６上に塗布具９を載置した状態が一層安定に維持され、塗布具９の落下防止性能が一層向上している。なお、特許文献１においては、塗布具を載せる中蓋トレイが蓋体側に開くようになっているのに対して、本実施形態の化粧用容器１においては、開いた蓋体の鏡５１を正面からみたときに保護シート６が左右方向に開くようになっており、保護シート６を開いた状態での鏡５１の視認性が良好であり、化粧中に、化粧入り容器４の上面を開放された状態に維持することも容易である。要するに、保護シート６は、蓋体５１とは異なる方向に開くため、塗布具９が落下しやすいが、起立片７３が形成されているため、落下を阻止し易い。また、蓋体５の鏡５１は、保護シート６に邪魔されることがない。
【００２５】
塗布具９の落下防止の観点から、起立片７２，７３は、保護部６１からの突出高さｔが、塗布具９の厚みｔ２の、好ましくは３０％以上１５０％以下であり、更に好ましくは５０％以上１１０％以下である。
【００２６】
塗布具９の落下防止の観点から、起立片７２，７３は、摘み部としての起立片７１とは別に設けられていることが好ましい。
また、起立片７２，７３は、蓋体５を正面に見て、手前側（使用者に近い側）と蓋体側のそれぞれに形成されていることが好ましい。より具体的には、起立片７２，７３は、図３に示すように、保護シート６の周縁部に形成されており、折曲線６２と摘み部としての起立片７１とを結ぶ中央領域ＣＲを挟んでその両側に位置する部分のそれぞれに形成されていることが好ましい。
【００２７】
本実施形態の保護シート６における下方部６３は、図２に示すように、化粧料入り容器４の側面に沿う部分６４と、化粧料入り容器４の下面に沿う部分６６とを有し、それらの間に、保護シート６が角部を有するように屈曲した屈曲部６７を有している。本実施形態における保護シート６における、下方部６３の前記部分６４及び前記部分６６は、化粧料収容部３の側面３ｓに沿う部分６４及び化粧料収容部３の下面３ｂに沿う部分６６とも表現できる。
保護シート６の下方部６３の容器本体２に対する固定の態様は、特に制限されず、任意の態様で固定することができる。例えば、図２及び図３に示す例においては、化粧料収容部３の底面３ｂに、下方部６３における化粧料入り容器４の下面に沿う部分６６が収容される保護シート収容凹部３６が形成されており、保護シート６の下方部６３の前記部分６６の一部又は全域が、保護シート収容凹部３６の上面上に接着剤を介して接合されている。
【００２８】
上述した化粧用容器１は、容器本体２、蓋体５における鏡５１以外の部分、及び化粧料入り容器４における薄型の容器４２は、例えば、それぞれ合成樹脂の成形品であるが、それぞれ、合成樹脂の成形品以外から構成されていても良い。例えば、アルミニウム、ステンレス等の金属をプレス成型等して形成したものであっても良い。蓋体の鏡は、その成形品に接着剤等の公知の手段により固定する。
保護シートを形成するシートは、前述したように、合成樹脂製のシートであることが好ましく、例えば、ポリエチレンテレフタレート、ポリプロピレン、ポリカーボネート等の樹脂からなるものや、これらの樹脂などで複数層に形成したもの等を用いることができるまた、紙に、熱可塑性樹脂をラミネートしたラミネート紙を用いることもできる。また、保護シートは、不透明のものであっても良いが、透明であることが好ましい。
【００２９】
保護シートの厚みは、その材質等により適宜に決定することができるが、例えば、ポリエチレンテレフタレート、ポリプロピレン、ポリカーボネート等の合成樹脂製のシートからなる場合、その厚みは、起立部の強度または傾斜角度を維持する観点及び折曲線６２の繰り返し回動の耐久性等の観点から、好ましくは３０μｍ以上、より好ましくは７０μｍ以上であり、また、好ましくは３００μｍ以下、より好ましくは２５０μｍ以下である。
【００３０】
図７〜図９は、本発明の化粧用容器、例えば、上述した化粧用容器１に採用し得る保護シートの例を示す図である。図７〜図９に示す保護シートに関し、特に説明しない点は、化粧用容器１について上述した説明を適宜適用可能である。
図７に示す保護シート６Ａは、保護部６１の周縁部に、５枚の起立片７１〜７５が形成されており、そのうちの起立片７１は、摘み部としても機能する起立片であり、それ以外の起立片７２〜７５は、折曲線６２と起立片７１とを結ぶ中央領域ＣＲを挟んでその両側に２枚づつ形成されている。起立片７１〜７５は、前述した保護シート６の起立片と同様に、保護シートを構成するシート材に半円形の突出部を形成し、その突出部を折り曲げて形成されている。図７に示す保護シート６Ａにおいては、起立片７５と折曲線６２の間の周縁部６８が、円弧状に形成されているが、該周縁部６８は、保護シート６Ａの開閉を容易にするため、直線状とすることも好ましい。
【００３１】
図８に示す保護シート６Ｂは、前述した保護シート６と同様の起立片７１〜７３に加えて、内側起立片７７を有している。内側起立片７７は、保護シートを構成するシート材に、円弧状の切り込み７６を入れて、その部分を該シート材の片面側に押し上げて形成したものである。また、内側起立片７７は、保護部６１において、折曲線６２付近に摘み部としての起立片７１に対向するように形成されている。
図７及び図８の保護シート６Ａ，６Ｂにおいては、周囲を、４個以上の起立片に囲まれた塗布具配置部７が形成されるため、保護シートとして、これらを用いた化粧用容器によれば、塗布具９の落下が一層効果的に防止される。
【００３２】
図９に示す保護シート６は、保護シート６Ｂの内側起立片７７と同様に円弧状の切り込みを入れて形成した一対の内側起立片７８，７８が形成されている。一対の内側起立片７８，７８は、それらが立ち上げる屈曲線７９，７９が互いに平行に形成されている。また、一対の内側起立片７８，７８は、保護部６１において、折曲線６２と摘み部としての起立片７１の間に、折曲線６２と直交するＹ方向に沿って屈曲線７９，７９が設けられている。
図９に示す保護シート６によれば、一対の内側起立片７８，７８間に、図９に示すスティック状の塗布具９Ａを配置するのに適した塗布具配置部７が形成される。図９に示す塗布具９Ａも、前述した塗布具９と同様に、手に持つ部分である把持部９１と、把持部の一端に設けられた刷毛部９２とを有している。
【００３３】
以上、本発明をその好ましい実施形態を示して説明したが、本発明は、上記の実施形態に制限されることなく種々変更可能である。
上述した化粧用容器１における保護シート６の保護部６１は、平面視略円形の化粧料入り容器４や化粧料収容部３の形状に対応して略円形の形状を有していたが、保護部６１、化粧料入り容器４及び化粧料収容部３は、任意の形状とすることができ、例えば楕円形や長円形、角部を丸めた長方形状や正方形等とすることができる。また、保護部６１は、化粧料入り容器４の上面の形状と異なる形状を有していても良い。
また、保護部の周縁部に形成する起立片の数は、摘み部としての起立片を含めて２枚であっても良い。また、摘み部としての起立片であるか否かを問わずに起立片の数は、２枚〜１５程度の範囲で任意に決定でき、例えば、４枚、５枚、６枚、７枚、又はそれ以上とすることもできる。また、起立片の形状も、半円状に代えて正方形状、長方形状、三角形状等、任意の形状とすることができる。
【００３４】
また、保護シート６の下方部６３が、化粧料入り容器の底面に沿う部分を有さず、化粧料入り容器の側面に沿う部分６４が、容器本体２に、接着剤、融着、係合等によって固定されていても良い。また、保護シート６の下方部６３は、化粧料収容部とは別に形成されたスリット状の固定用孔に挿入して、その内部で、接着剤、融着、係合等によって固定されていても良い。固定用孔に挿入して固定する例としては、例えば、特願２０１２−２８４８８３に提案したものも挙げられる。また、容器本体のそれ以外の部分に融着等によって固定されていても良い。また、保護シート６の下方部６３が容器本体２の固定用孔等に挿入して固定される場合には、化粧料入り容器４を用いずに、化粧料を化粧料収容部３に直接充填してもよい。
【００３５】
また、上述した各実施形態においては、摘み部は、起立片と同様に保護部に対して角度を有するように形成してあったが、そのような摘み部に代えて、保護部と面一に延びる摘み部を設けても良い。例えば、保護部における折曲部とは反対側の縁部に、半円形、四角形、三角形等の任意の形状の突出部を形成し、その突出部を保護部に対して角度をつけることなく、摘み部としても良い。また、起立させる摘み部及び起立させない摘み部のいずれについても、摘み部の認知性を高めるために、摘み部に色を付けたり印字や模様を施してもよい。
本発明の化粧用容器、特に第２発明の化粧用容器は、容器本体に化粧料入り容器が収容されていないものであっても良い。例えば、消費者が購入した化粧料入り容器を、化粧料収容部に入れる前のものであっても良い。
【００３６】
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００３７】
１  化粧用容器
２  容器本体
３  化粧料収容部
３６  保護シート収容凹部
４  化粧料入り容器
５  蓋体
５１  鏡
５２  連結部
６，６Ａ  保護シート
６１  保護部
６２  折曲線
６３  下方部
６４  化粧料入り容器の側面に沿う部分
６６  化粧料入り容器の底面に沿う部分
６７  屈曲部
７  塗布具配置部
７１  摘み部（起立片）
７１〜７６  起立片
７７，７８  内側起立片（起立片）
【図１】
2015150000.tif 000003
【図２】
2015150000.tif 000004
【図３】
2015150000.tif 000005
【図４】
2015150000.tif 000006
【図５】
2015150000.tif 000007
【図６】
2015150000.tif 000008
【図７】
2015150000.tif 000009
【図８】
2015150000.tif 000010
【図９】
2015150000.tif 000011